(57)【要約】【課題】携帯端末装置を一方の手で保持したときに、一方の手の親指で操作可能な入力部の範囲を広く確保できる携帯端末装置を提供する。【解決手段】携帯端末装置１は、入力部としてのタッチパネル２０が形成される筐体２を備える。携帯端末装置１は、ベルト３と、ベルト３の一端２７及び他端２８に接続される第１，２スライド部材４，５を有する。第１，２スライド部材４，５は、筐体２の第１，２側面１０，１１上に配置されて、第１，２側面１０，１１上を移動可能、且つ、第１，２側面１０，１１に対して回転可能である。【選択図】図１
2012248580.tif 000002
【特許請求の範囲】
【請求項１】
入力部が形成される筐体を備える携帯端末装置であって、
ベルトと、
前記ベルトの一端及び他端に接続される２つのスライド部材とを有し、
前記２つのスライド部材は、前記筐体の表面上に配置されて、前記筐体の表面上を移動可能、且つ、該筐体の表面に対して回転可能であることを特徴とする携帯端末装置。
【請求項２】
前記筐体は、相対向する２つの主面と、該２つの主面を結ぶ複数の側面とを有し、
前記入力部は、前記２つの主面のうち一方に形成され、
前記２つのスライド部材は、前記複数の側面のうち、相対向する２つの側面上に配置されて、該側面上を移動可能、且つ、該側面に対して回転可能であることを特徴とする請求項１に記載の携帯端末装置。
【請求項３】
前記２つの主面は、それぞれ、第１辺と、該第１辺に相対向する第２辺と、前記第１辺および前記第２辺の一方側の端部に連なる第３辺と、前記第１辺および前記第２辺の他方側の端部に連なり前記第３辺に相対向する第４辺とから構成される矩形状を呈し、
前記複数の側面は、前記２つの主面の前記第１辺に沿う第１側面と、前記２つの主面の前記第２辺に沿う第２側面と、前記２つの主面の前記第３辺に沿う第３側面と、前記２つの主面の前記第４辺に沿う第４側面とからなり、
前記ベルトの一端に接続される第１スライド部材は、前記第１側面上に配置されて、該第１側面上を前記第１辺の延長方向に移動可能、且つ、該第１側面に対して回転可能であり、
前記ベルトの他端に接続される第２スライド部材は、前記第２側面上に配置されて、該第１側面上を前記第２辺の延長方向に移動可能、且つ、該第２側面に対して回転可能であることを特徴とする請求項２に記載の携帯端末装置。
【請求項４】
前記第１スライド部材は、前記第１辺の第１位置まで前記第１辺の一方側に移動可能であり、
前記第２スライド部材は、前記第２辺の第２位置まで前記第１辺の一方側に移動可能であり、
前記ベルトの長さは、前記第１辺、前記第３辺、前記第２辺に沿う前記第１位置から第２位置までの長さよりも、大きいことを特徴とする請求項３に記載の携帯端末装置。
【請求項５】
前記第１側面に形成される第１ガイド溝に、一端側部がスライド自在に係合する第１ピンと、
前記第２側面に形成される第２ガイド溝に、一端側部がスライド自在に係合する第２ピンとをさらに備え、
前記第１ガイド溝及び前記第２ガイド溝は、それぞれ、前記第１辺及び前記第２辺の延長方向に延び、
前記第１スライド部材は、前記第１ピンの他方側端部に回転可能に取り付けられることで、前記第１ピンのスライドに伴い前記第１側面上を前記第１辺の延長方向に移動可能、且つ、前記第１側面に対して回転可能であり、
前記第２スライド部材は、前記第２ピンの他方側端部に回転可能に取り付けられることで、前記第２ピンのスライドに伴い前記第２側面上を前記第２辺の延長方向に移動可能、且つ、前記第２側面に対して回転可能であることを特徴とする請求項３又は４に記載の携帯端末装置。
【請求項６】
前記第１ピン及び前記第２ピンの一方側端部は、それぞれ、大径の一方側先端部と、小径の一方側基部とからなり、  
前記第１ガイド溝の底側には、前記第１ピンの前記一方側先端部が挿入される幅広部が形成され、前記第１ガイド溝の開口側には、前記第１ピンの前記一方側基部が挿入されて、前記第１ピンの前記一方側先端部の通過を阻止する幅狭部が形成され、
前記第２ガイド溝の底側には、前記第２ピンの前記一方側先端部が挿入される幅広部が形成され、前記第２ガイド溝の開口側には、前記第２ピンの前記一方側基部が挿入されて、前記第２ピンの前記一方側先端部の通過を阻止する幅狭部が形成されることを特徴とする請求項５に記載の携帯端末装置。
【請求項７】
前記第１スライド部材は、前記第１側面上に配置される第１板状部と、該第１板状部から突出する一対の第１リブ及び第２リブと、前記第１リブ及び前記第２リブに連結される第１梁部とから構成され、前記第１板状部に形成される第１孔に前記第１ピンの他方側端部が回転可能に係合することで、前記第１ピンの他方側端部に回転可能に取り付けられ、
前記第２スライド部材は、前記第２側面上に配置される第２板状部と、該第２板状部から突出する一対の第３リブ及び第４リブと、前記第３リブ及び前記第４リブに連結される第２梁部とから構成され、前記第２板状部に形成される第２孔に前記第２ピンの他方側端部が回転可能に係合することで、前記第２ピンの他方側端部に回転可能に取り付けられ、
前記ベルトは、一端が前記第１梁部に接続され、他端が前記第２梁部に接続されることを特徴とする請求項５又は６に記載の携帯端末装置。
【請求項８】
前記第１ピン及び前記第２ピンの他方側端部は、それぞれ、大径の他方側先端部と、小径の他端側基端部とからなり、  
前記第１孔には、前記第１側面の反対側に、前記第１ピンの他方側先端部が係合される幅広部が形成され、前記第１側面側に、前記第１ピンの他方側先端部が係合されて、前記第１ピンの他方側先端部の通過を阻止する幅狭部が形成され、
前記第２孔には、前記第２側面の反対側に、前記第２ピンの他方側先端部が係合される幅広部が形成され、前記第２側面側に、前記第２ピンの他方側先端部が係合されて、前記第２ピンの他方側先端部の通過を阻止する幅狭部が形成されることを特徴とする請求項７に記載の携帯端末装置。
【発明の詳細な説明】
【技術分野】
【０００１】
本発明は、携帯電話機、ＰＨＳ、ＰＤＡ、スマートフォン等の携帯端末装置に関する。
【背景技術】
【０００２】
筐体の表面に入力部が形成される携帯端末装置を片手で操作する場合、手のひらや親指以外の指で筐体を握り、親指で入力部を操作するのが一般的である。しかしながら、このような入力操作は、筐体を強く握り続ける必要があり、親指の入力操作が困難である。
【０００３】
特許文献１〜６には、携帯端末装置を保持するために使用されるベルトが開示される。これらのベルトは、両端が筐体に支持され、ユーザは、ベルトと筐体との間に親指以外の指を挿入することで、携帯端末装置を保持する。特許文献１〜６のベルトによれば、携帯端末装置を強く握ることなく、親指の入力操作を行うことができる。
【先行技術文献】
【特許文献】
【０００４】
【特許文献１】特開２００６−３０７９１８号公報
【特許文献２】特開２００９−１４７９９２号公報
【特許文献３】特開２０１０−１３０１６６号公報
【特許文献４】特開２０１０−１３０２４４号公報
【特許文献５】特開２０１０−１７１７３１号公報
【特許文献６】特開平１０−１６３６４０号公報
【発明の概要】
【発明が解決しようとする課題】
【０００５】
しかしながら特許文献１〜６のベルトは、両端が固定されるため、ベルトの長さが短い場合、ベルトと筐体との間に挿入した指の姿勢を自由に変えることができない。よって、近年普及する大型の携帯端末装置に設けた場合には、入力部の一部の範囲にしか親指が届かず、親指が届かない範囲の操作を他方の手で行う必要が生じ得る。また、ベルトを長くして、指を挿入する空間を大きくした場合には、ベルトと指との間に隙間が生じて、携帯端末装置が落下する虞れがある。
【０００６】
本発明は、以上のような事情に鑑みてなされたもので、携帯端末装置を一方の手で保持したときに、一方の手の親指で操作可能な入力部の範囲を広く確保できる携帯端末装置を提供することを目的とする。
【課題を解決するための手段】
【０００７】
上記目的を達成するため、本発明の観点に係る携帯端末装置は、
入力部が形成される筐体を備える携帯端末装置であって、
ベルトと、
前記ベルトの一端及び他端に接続される２つのスライド部材とを有し、
前記２つのスライド部材は、前記筐体の表面上に配置されて、前記筐体の表面上を移動可能、且つ、該筐体の表面に対して回転可能であることを特徴とする。
【発明の効果】
【０００８】
本発明によれば、２つのスライド部材を移動・回転させることで、ベルトの位置や向きを調整できる。よって筐体とベルトとの間に挿入した指の姿勢に関わらず、該挿入した指にベルトを密着させることができる。このため、入力部の各位置に親指が届くように、携帯端末装置を手のひらの指寄り位置に載せた場合でも、携帯端末装置を落下させることなく支持できる。これにより携帯端末装置が大型である場合でも、携帯端末装置を一方の手で保持した状態で、一方の手の親指で操作可能な入力部の範囲を広く確保できる。
【図面の簡単な説明】
【０００９】
【図１】本発明の実施形態に係る携帯端末装置を示す斜視図であり、入力部が形成される表面側から携帯端末装置を視た状態を示す図である。
【図２】実施形態に係る携帯端末装置を示す斜視図であり、裏面側から携帯端末装置を視た状態を示す図である。
【図３】筐体の正面を示す概略図である。
【図４】図１，２に示す状態から、ベルトが回転した状態を示す携帯端末装置の斜視図である。
【図５】第１ピンを拡大して示す正面図である。
【図６】携帯端末装置の断面図であり、図６（Ａ）は、図１，図２のＡ−Ａ線断面図であり、図６（Ｂ）は、図１，図２のＢ−Ｂ線断面図である。
【図７】第１スライド部材を拡大して示す平面図である。
【図８】携帯端末装置の変形例を示す断面図であり、図６（Ｂ）の対応図である。
【図９】携帯端末装置の変形例を示す斜視図であり、入力部が形成される表面側から携帯端末装置を視た状態を示す図である。
【図１０】携帯端末装置の変形例を示す斜視図であり、裏面側から携帯端末装置を視た状態を示す図である。
【図１１】携帯端末装置の変形例の断面図であり、図１１（Ａ）は、図９，１０のＡ−Ａ線断面図であり、図１１（Ｂ）は、図９，１０のＢ−Ｂ線断面図である。
【発明を実施するための形態】
【００１０】
以下、本発明の実施形態に係る携帯端末装置について図面を参照して説明する。本実施形態は、本発明の携帯端末装置をスマートフォンに適用した例である。図１，図２は、本発明の実施形態に係る携帯端末装置１を示す斜視図である。図１は表面側から携帯端末装置１を視た状態を示し、図２は裏面側から携帯端末装置１を視た状態を示す。
【００１１】
携帯端末装置１は、筐体２と、ベルト３と、第１スライド部材４と、第２スライド部材５と、第１ピン６（図２）と、第２ピン７（図１）とを有する。
【００１２】
筐体２は、例えば合成樹脂や金属から形成される。筐体２は、相対向する第１，２主面８，９と、第１，２主面８，９を結ぶ第１〜４側面１０，１１，１２，１３とを有する。
【００１３】
第１，２主面８，９は、それぞれ第１〜４辺ｈ１〜ｈ４から構成される矩形状を呈する。第１辺ｈ１と第２辺ｈ２とは、相対向する。第３辺ｈ３は、第１辺ｈ１および第２辺ｈ２の一方側の端部に連なる。第４辺ｈ４は、第１辺ｈ１および第２辺ｈ２の他方側の端部に連なり、第３辺ｈ３に相対向する。
【００１４】
第１側面１０は、第１，２主面８，９の第１辺ｈ１，ｈ１に沿う側面である。第２側面１１は、第１，２主面８，９の第２辺ｈ２，ｈ２に沿う側面である。第３側面１２は、第１，２主面８，９の第３辺ｈ３，ｈ３に沿う側面である。第４側面１３は、第１，２主面８，９の第４辺ｈ４，ｈ４に沿う側面である。
【００１５】
第１主面８には、入力部としてのタッチパネル２０が設けられる。タッチパネル２０は、例えば、ＬＣＤ（液晶表示装置）等の表示部の前面に重ねて配置されて、表示部に目標となる画像（例えば、ボタン画像）を表示する。ユーザは、タッチパネル２０を指でタッチすることで、携帯端末装置１が備える各種機能を操作できる。なお、携帯端末装置１に形成される入力部は、その他の形態でもよく、例えば、ボタン形式の入力キー等であってもよい。
【００１６】
図２に示すように、第１側面１０には、第１ガイド溝２１が形成される。第１ガイド溝２１は、第１辺ｈ１の延長方向に延びる。
【００１７】
第１ピン６は、後述の図５に示す一方側端部２２が、第１ガイド溝２１にスライド自在に係合する。第１スライド部材４は、第１側面１０上に配置されて、第１ピン６の他方側端部２３（図５）に回転可能に取り付けられる。この取り付けにより、第１スライド部材４は、第１ピン６のスライドに伴い、第１側面１０上を第１辺ｈ１の延長方向に移動可能、且つ、第１側面１０に対して回転可能である。
【００１８】
図１に示すように、第２側面１１には、第２ガイド溝２４が形成される。第２ガイド溝２４は、第２辺ｈ２の延長方向に延びる。
【００１９】
第２ピン７は、後述の図５に示す一方側端部２５が第２ガイド溝２４にスライド自在に係合する。第２スライド部材５は、第２側面１１上に配置されて、第２ピン７の他方側端部２６（図５）に回転可能に取り付けられる。この取り付けにより、第２スライド部材５は、第２ピン７のスライドに伴い、第２側面１１上を第２辺ｈ２の延長方向に移動可能、且つ、第２側面１１に対して回転可能である。
【００２０】
ベルト３は、可撓性を有する帯状の部材から構成される。ベルト３は、一端２７が第１スライド部材４に接続され、他端２８が第２スライド部材５に接続される。この接続によって、第１，２スライド部材４，５を移動・回転させることで、ベルト３の位置や向きが変更可能とされる。
【００２１】
図３は、筐体２の正面を示す概略図である。図４は、図１，図２に示す状態から、ベルト３の位置が変更された状態を示す斜視図である。
【００２２】
図３に示すＫ１は、第１ガイド溝２１の一方側端のある第１辺ｈ１の第１位置を示し、この第１位置Ｋ１まで、第１スライド部材４は、一方側に移動可能である。Ｋ２は、第２ガイド溝２４の一方側端のある第２辺ｈ２の第２位置を示し、この第２位置Ｋ２まで、第２スライド部材４は一方側に移動可能である。また図１，図２は、第１，２スライド部材４，５が、それぞれ第１，２位置Ｋ１，Ｋ２に配置されている状態を示す。
【００２３】
Ｌは、第１辺の第１位置Ｋ１から第２辺の第２位置Ｋ２までの第１辺ｈ１、第３辺ｈ３、第２辺ｈ２に沿う長さを示す。ベルト３の長さは、長さＬよりも、大きくなるように設定される。この長さ設定により、図１，図２に示すように、第１，２スライド部材４，５が、第１，２位置Ｋ１，Ｋ２にある状態では、第１，２スライド部材４，５を回転させることで、図４に示すように、ベルト３を、第３側面１２と対向する位置に配置できる。
【００２４】
図５は、第１ピン６を拡大して示す正面図である。第１ピン６は、第１ガイド溝２１に係合する一方側端部２２が、大径の一方側先端部３０と、小径の一方側基部３１とから構成される。また、第１スライド部材４が取り付けられる他方側端部２３が、大径の他方側先端部３２と、小径の他方側基部３３とから構成される。これら各部は、一方側先端部３０、一方側基部３１、他方側基部３３、他方側先端部３２の順序で連なっており、いずれも断面円形を呈し、軸芯が一致する。
【００２５】
図６は、携帯端末装置１の断面図である。図６（Ａ）は、図１，図２のＡ−Ａ線断面図であり、図６（Ｂ）は、図１，図２のＢ−Ｂ線断面図である。
【００２６】
第１ガイド溝２１は、底側に形成される幅広部３４と、開口側に形成される幅狭部３５とが連なる構造を有する。幅広部３４は、第１ピン６の一方側先端部３０の径と略一致する幅を有し、一方側先端部３０が挿入される。幅狭部３５は、幅が第１ピン６の一方側基部３１の径と略一致しており、一方側基部３１が挿入される。幅狭部３５は、一方側先端部３０の径よりも幅が小さいことで、一方側先端部３０の通過を阻止する。
【００２７】
図７は、第１スライド部材４を拡大して示す平面図である。第１スライド部材４は、第１側面１０上に配置される第１板状部４０と、第１板状部４０から突出する一対の第１，２リブ４１，４２と、第１，２リブ４１，４２に連結される第１梁部４３とから構成される。
【００２８】
第１板状部４０には、第１孔４４が形成される。第１孔４４は、平面視で略楕円形状を呈する。第１孔４４における長手方向の一方側範囲Ａは、第１ピン６の他方側端部２３（図５）が回転可能に係合される範囲である。この係合により、第１スライド部材４は第１ピン６に回転可能に取り付けられる。第１孔４４における長手方向の他方側範囲Ｂは、他方側端部２３の係合を解除し、第１スライド部材４を第１ピン６から取り外すために使用される。
【００２９】
図６（Ｂ），図７に示すように、第１孔４４の一方側範囲Ａは、第１側面１０側に形成される幅狭部４５と、第１側面１０の反対側に形成される幅広部４６とが連なる構造を有する。幅広部４６は、幅が第１ピン６の他方側先端部３２の径と略一致し、他方側先端部３２が回転可能に係合する。幅狭部４５は、幅が第１ピン６の他方側基部３３の径と略一致し、他方側基部３３が回転可能に係合する。幅狭部４５は、幅が他方側先端部３２の径よりも小さく、他方側先端部３２の通過を阻止する。
【００３０】
第１孔４４の他方側範囲Ｂは、全ての高さ位置で、他方側先端部３２の径と略一致する幅を有する。これにより、他方側範囲Ｂに第１ピン６の他方側端部２３が位置した状態では、第１ピン６の他方側端部２３を抜き出すことが可能である。
【００３１】
第２ピン７は、第１ピン６と同様の構造を有する。よって図５に第２ピン７に係る符号を付して、図５を用いて、第２ピン７の構造を説明する。
【００３２】
第２ピン７は、第２ガイド溝２４に係合する一方側端部２５が、大径の一方側先端部４７と、小径の一方側基部４８とから構成される。また、第２スライド部材５が取り付けられる他方側端部２６が、大径の他方側先端部４９と、小径の他方側基部５０とから構成される。これら各部は、一方側先端部４７、一方側基部４８、他方側基部５０、他方側先端部４９の順序で連なっており、いずれも断面円形を呈し、軸芯が一致する。
【００３３】
第２ガイド溝２４は、第１ガイド溝２１と同様の構造を有する。よって図６に第２ガイド溝２４に係る符号を付して、図６を用いて、第２ガイド溝２４の構造を説明する。
【００３４】
第２ガイド溝２４は、底側に形成される幅広部５１と、開口側に形成される幅狭部５２とが連なる構造を有する。幅広部５１は、幅が第２ピン７の一方側先端部４７の径と略一致し、一方側先端部４７が挿入される。幅狭部５２は、幅が第１ピン７の一方側基部４８の径と略一致し、一方側基部４８が挿入される。幅狭部５２は、幅が一方側先端部４７の径よりも小さいことで、一方側先端部４７の通過を阻止する。
【００３５】
第２スライド部材５は、第１スライド部材４と同様の構造を有する。よって図６，図７に、第２スライド部材５に係る符号を付して、図６，図７を用いて、第２スライド部材５の構造について説明する。
【００３６】
第２スライド部材５は、第２側面１１上に配置される第２板状部５４と、第２板状部５４から突出する一対の第３，４リブ５５，５６と、第３，４リブ５５，５６に連結される第２梁部５７とから構成される。
【００３７】
第２板状部５４には、第２孔５８が形成される。第２孔５８は、平面視で略楕円形状を呈する。第２孔５８における長手方向の一方側範囲Ａには、第２ピン７（図１，図５）が係合する範囲である。第２孔５８における長手方向の他方側範囲Ｂは、第２ピン７の係合を解除するために使用される。
【００３８】
図６に示すように、第２孔５８の一方側範囲Ａは、第２側面１１側に形成される幅狭部５９と、第２側面１１の反対側に形成される幅広部６０とが連なる構造を有する。幅広部６０は、第２ピン７の他方側先端部４９の径と略一致する幅を有し、他方側先端部４９が回転可能に係合する。幅狭部５９は、第２ピン７の他方側基部５０の径と略一致する幅を有し、他方側基部５０が回転可能に係合する。幅狭部５９は、幅が他方側先端部４９の径よりも小さいことで、他方側先端部４９の通過を阻止する。
【００３９】
第２孔５８の他方側範囲Ｂは、全ての高さ位置における幅が、他方側先端部４９の径と略一致する。これにより、他方側範囲Ｂに第２ピン７の他方側端部２６が位置した状態では、第２ピン７の他方側端部２６を抜き出すことが可能である。
【００４０】
また図６（Ｂ）に示すように、ベルト３の一端２７及び他端２８には、折り返された部分が内面に貼着されることで、輪が形成される。これらの輪に第１，２梁部４３，５７が挿通されることで、ベルト３の一端２７及び他端２８は、第１，２スライド部材４，５に接続される。
【００４１】
次に、ユーザが携帯端末装置１に対して行う動作について説明する。
【００４２】
携帯端末装置１を使用する際には、まず、ユーザは、第１，２スライド部材４，５を回転させることで、図１，図２に示すように、ベルト３を、タッチパネル２０が形成されていない裏面側、つまり第２主面９と対向する側に配置する。
【００４３】
ついで、ユーザは、ベルト３と筐体２との間に、一方の手の親指以外の指を挿入して、上記挿入した指や、手のひらの指寄り位置で、携帯端末装置１を支える。
【００４４】
ついで、ユーザは、一方の手の親指や他方の手で、携帯端末装置１を、親指でタッチパネル２０が操作可能な位置に動かす。
【００４５】
ついで、ユーザは、第１，２スライド部材４，５を移動・回転させて、ベルト３の位置や向きを調整することで、ベルト３と筐体２との間に挿入した指に、ベルト３を隙間無く密着させる。以上の動作により、携帯端末装置１を使用する態勢（タッチパネル２０の操作を行う態勢）が整う。
【００４６】
また、携帯端末装置１の使用を完了した際には、ユーザは、ベルト３と筐体２との間から、指を抜き出す。
【００４７】
ついで、ユーザは、第１，２スライド部材４，５を、第１，２辺ｈ１，ｈ２の第１，２位置Ｋ１，Ｋ２（第１，２ガイド溝２１，２４の一方側端）に移動させる。
【００４８】
ついで、ユーザは、第１，２スライド部材４，５を回転させることで、図４に示すように、ベルト３を、第３側面１２と対向する位置に配置する。以上の動作により、携帯端末装置１を収納する態勢が整う。
【００４９】
本実施の形態によれば、第１，２スライド部材４，５を移動・回転させることで、ベルト３の位置や向きを調整できる。よって筐体２とベルト３との間に挿入した指の姿勢に関わらず、該挿入した指にベルト３を密着させることができる。このため、タッチパネル２０の各位置に親指が届くように、携帯端末装置１を手のひらの指寄り位置に載せた場合でも、携帯端末装置１を落下させることなく支持できる。これにより携帯端末装置１が大型である場合でも、携帯端末装置１を一方の手で保持した状態で、一方の手の親指で操作可能なタッチパネル２０の範囲を広く確保できる。
【００５０】
また、第１，２スライド部材４が、それぞれ第１，２ピン６に取り付けられた状態では、第１孔４４の幅狭部４５（図６（Ｂ））が、第１ピン６の他方側先端部３２の通過を阻止する。また、第２孔５８の幅狭部５９が、第２ピン７の他方側先端部４９の通過を阻止する。これにより、第１，２ピン６，７と第１，２スライド部材４，５との接続状態が確実に維持されるため、ベルト３が筐体２から外れて、筐体２が落下することが防止される。
【００５１】
また、ベルト３を第３側面１２と対向する位置に配置できるため、ベルト３と筐体２とが、筐体２の厚さ方向にかさばらない。このため、良好な収納性が得られる。
【００５２】
本発明は、上記の実施の形態に限らず、特許請求の範囲において種々改変されてもよい。
【００５３】
例えば、図８に示すように、第１ピン６は、一方側基部３１が第１ガイド溝２１の外側に延び出るように形成されてもよい。この場合、第１スライド部材４が一方側基部３１の表面に支持されることで、第１スライド部材４と第１側面１０との間に隙間Ｓが生じる。このため、第１スライド部材４を円滑に回転させることができる。
【００５４】
また同様に、第２ピン７は、一方側基部４８が第２ガイド溝２４から外側に延び出るように形成されてもよい。この場合、第２スライド部材５が一方側基部４８の表面に支持されることで、第２スライド部材５と第２側面１１との間に隙間Ｓが生じる。このため、第２スライド部材５を円滑に回転させることができる。
【００５５】
また、本発明の携帯端末装置は、図９，図１０に示すように変形されてもよい。図９は、変形例である携帯端末装置７０を示す斜視図である。図９は、表面側から携帯端末装置７０を視た状態を示し、図１０は、裏面側から携帯端末装置７０を視た状態を示す。図１１は、携帯端末装置７０の断面図である。図１１（Ａ）は、図９のＡ−Ａ線断面図であり、図１１（Ｂ）は、図９のＢ−Ｂ線断面図である。
【００５６】
携帯端末装置７０は、筐体７１と、第３スライド部材７２と、第４スライド部材７３と、ベルト７４とを有する。
【００５７】
筐体７１では、図９に示すように、第１主面８に第３，４ガイド溝７５，７６が形成され、図１０に示すように、第２主面９に第５，６ガイド溝７７，７８が形成される。
【００５８】
第３ガイド溝７５は、第１主面８における第１側面１０側の端に形成される。第４ガイド溝７６は、第１主面８における第２側面１１側の端に形成される。第３，４ガイド溝７５，７６は、それぞれタッチパネル２０の外側に位置する。
【００５９】
第５ガイド溝７７は、第２主面９における第１側面１０側の端に形成される。第６ガイド溝７８は、第２主面９における第２側面１１側の端に形成される。
【００６０】
図１１（Ｂ）に示すように、第３スライド部材７２は、本体部７９と、第１脚部８０と、第２脚部８１とを有する。
【００６１】
本体部７９は、第１側面１０上に配置されて、第１側面１０に沿って延びる。
【００６２】
第１脚部８０は、本体部７９における第１主面８側の端から、第１主面８に沿って、第３ガイド溝７５の位置まで延びる。
【００６３】
第２脚部８１は、本体部７９における第２主面９側の端から、第２主面９に沿って、第５ガイド溝７７の位置まで延びる。
【００６４】
第１脚部８０の先端には、第３ガイド溝７５にスライド自在に係合する第１係合部８２が形成される。第１係合部８２は、大径の先端部８４と、小径の基部８５とが連なる構造を有する。
【００６５】
第３ガイド溝７５は、底側に形成される幅広部８６と、開口側に形成される幅狭部８７とが連なる構造を有する。幅広部８６は、幅が先端部８４の径と略一致し、先端部８４が挿入される。幅狭部８７は、幅が基部８５の径と略一致し、基部８５が挿入される。幅狭部８７は、幅が先端部８４の径よりも小さいことで、先端部８４の通過を阻止する。
【００６６】
第２脚部８１の先端には、第５ガイド溝７７にスライド自在に係合する第２係合部８３が形成される。第２係合部８３は、大径の先端部８８と、小径の基部８９とが連なる構造を有する。
【００６７】
第５ガイド溝７７は、底側に形成される幅広部９０と、開口側に形成される幅狭部９１とが連なる構造を有する。幅広部９０は、幅が先端部８８の径と略一致し、先端部８８が挿入される。幅狭部９１は、幅が基部８９の径と略一致し、基部８９が挿入される。幅狭部９１は、幅が先端部８８の径よりも小さいことで、先端部８８の通過を阻止する。
【００６８】
本体部７９の中央には、外側（第１側面１０の反対側）に突出する突出部９２が形成される。突出部９２は、大径の先端部９３と、小径の基部９４とから構成される。基部９４は断面円形を呈する。
【００６９】
ベルト７４の一端には、第３孔９５が形成される。第３孔９５は、径が基部９４と略一致する円形を呈し、基部９４が挿通される。この挿通により、ベルト７４の一端は、第３スライド部材７２に回転可能に接続される。また、突出部９２の先端部９３は、第３孔９５よりも径が大きいことで、ベルト７４が抜け出ることを規制する。
【００７０】
図９，図１０に示す第４スライド部材７３は、第３スライド部材７２と同様の構造を有し、第４，６ガイド溝７６，７８は、それぞれ、第３，５ガイド溝７５，７７とそれぞれ同様の構造を有する。第４スライド部材７３は、第４，６ガイド溝７６，７８にスライド自在に係合し、第４スライド部材７３には、ベルト７４の他端が回転可能に接続される。
【００７１】
以上の携帯端末装置７０によれば、第３，４スライド部材７２，７３のスライドに伴い、ベルト７４の位置が変更される。また、ベルト７４の一端及び他端を回転させることで、ベルト７４の向きが変更される。この携帯端末装置７０によっても、携帯端末装置７０を一方の手で保持した状態で、一方の手の親指で操作可能なタッチパネル２０の範囲を広く確保できる。
【００７２】
また、携帯端末装置１のベルト３（図１，図２）や、携帯端末装置７０のベルト７４（図９，図１０）は、長さが調節可能に設けられてもよい。  
【００７３】
また、本発明の携帯端末装置は、スマートフォンに限定されず、携帯電話機、ＰＨＳ（Personal Handy-phone System）、ＰＤＡ（Personal Digital Assistant）など、入力部を備えるあらゆる携帯端末装置に適用できる。
【００７４】
上記の実施形態の一部又は全部は、以下の付記のようにも記載されうるが、以下に限らない。
【００７５】
（付記１）  
入力部が形成される筐体を備える携帯端末装置であって、
ベルトと、
前記ベルトの一端及び他端に接続される２つのスライド部材とを有し、
前記２つのスライド部材は、前記筐体の表面上に配置されて、前記筐体の表面上を移動可能、且つ、該筐体の表面に対して回転可能であることを特徴とする携帯端末装置。
【００７６】
（付記２）
前記筐体は、相対向する２つの主面と、該２つの主面を結ぶ複数の側面とを有し、
前記入力部は、前記２つの主面のうち一方に形成され、
前記２つのスライド部材は、前記複数の側面のうち、相対向する２つの側面上に配置されて、該側面上を移動可能、且つ、該側面に対して回転可能であることを特徴とする付記１に記載の携帯端末装置。
【００７７】
（付記３）
前記２つの主面は、それぞれ、第１辺と、該第１辺に相対向する第２辺と、前記第１辺および前記第２辺の一方側の端部に連なる第３辺と、前記第１辺および前記第２辺の他方側の端部に連なり前記第３辺に相対向する第４辺とから構成される矩形状を呈し、
前記複数の側面は、前記２つの主面の前記第１辺に沿う第１側面と、前記２つの主面の前記第２辺に沿う第２側面と、前記２つの主面の前記第３辺に沿う第３側面と、前記２つの主面の前記第４辺に沿う第４側面とからなり、
前記ベルトの一端に接続される第１スライド部材は、前記第１側面上に配置されて、該第１側面上を前記第１辺の延長方向に移動可能、且つ、該第１側面に対して回転可能であり、
前記ベルトの他端に接続される第２スライド部材は、前記第２側面上に配置されて、該第１側面上を前記第２辺の延長方向に移動可能、且つ、該第２側面に対して回転可能であることを特徴とする付記２に記載の携帯端末装置。
【００７８】
（付記４）
前記第１スライド部材は、前記第１辺の第１位置まで前記第１辺の一方側に移動可能であり、
前記第２スライド部材は、前記第２辺の第２位置まで前記第１辺の一方側に移動可能であり、
前記ベルトの長さは、前記第１辺、前記第３辺、前記第２辺に沿う前記第１位置から第２位置までの長さよりも、大きいことを特徴とする付記３に記載の携帯端末装置。
【００７９】
（付記５）
前記第１側面に形成される第１ガイド溝に、一端側部がスライド自在に係合する第１ピンと、
前記第２側面に形成される第２ガイド溝に、一端側部がスライド自在に係合する第２ピンとをさらに備え、
前記第１ガイド溝及び前記第２ガイド溝は、それぞれ、前記第１辺及び前記第２辺の延長方向に延び、
前記第１スライド部材は、前記第１ピンの他方側端部に回転可能に取り付けられることで、前記第１ピンのスライドに伴い前記第１側面上を前記第１辺の延長方向に移動可能、且つ、前記第１側面に対して回転可能であり、
前記第２スライド部材は、前記第２ピンの他方側端部に回転可能に取り付けられることで、前記第２ピンのスライドに伴い前記第２側面上を前記第２辺の延長方向に移動可能、且つ、前記第２側面に対して回転可能であることを特徴とする付記３又は４に記載の携帯端末装置。
【００８０】
（付記６）
前記第１ピン及び前記第２ピンの一方側端部は、それぞれ、大径の一方側先端部と、小径の一方側基部とからなり、  
前記第１ガイド溝の底側には、前記第１ピンの前記一方側先端部が挿入される幅広部が形成され、前記第１ガイド溝の開口側には、前記第１ピンの前記一方側基部が挿入されて、前記第１ピンの前記一方側先端部の通過を阻止する幅狭部が形成され、
前記第２ガイド溝の底側には、前記第２ピンの前記一方側先端部が挿入される幅広部が形成され、前記第２ガイド溝の開口側には、前記第２ピンの前記一方側基部が挿入されて、前記第２ピンの前記一方側先端部の通過を阻止する幅狭部が形成されることを特徴とする付記５に記載の携帯端末装置。
【００８１】
（付記７）
前記第１スライド部材は、前記第１側面上に配置される第１板状部と、該第１板状部から突出する一対の第１リブ及び第２リブと、前記第１リブ及び前記第２リブに連結される第１梁部とから構成され、前記第１板状部に形成される第１孔に前記第１ピンの他方側端部が回転可能に係合することで、前記第１ピンの他方側端部に回転可能に取り付けられ、
前記第２スライド部材は、前記第２側面上に配置される第２板状部と、該第２板状部から突出する一対の第３リブ及び第４リブと、前記第３リブ及び前記第４リブに連結される第２梁部とから構成され、前記第２板状部に形成される第２孔に前記第２ピンの他方側端部が回転可能に係合することで、前記第２ピンの他方側端部に回転可能に取り付けられ、
前記ベルトは、一端が前記第１梁部に接続され、他端が前記第２梁部に接続されることを特徴とする付記５又は６に記載の携帯端末装置。
【００８２】
（付記８）
前記第１ピン及び前記第２ピンの他方側端部は、それぞれ、大径の他方側先端部と、小径の他端側基端部とからなり、  
前記第１孔には、前記第１側面の反対側に、前記第１ピンの他方側先端部が係合される幅広部が形成され、前記第１側面側に、前記第１ピンの他方側先端部が係合されて、前記第１ピンの他方側先端部の通過を阻止する幅狭部が形成され、
前記第２孔には、前記第２側面の反対側に、前記第２ピンの他方側先端部が係合される幅広部が形成され、前記第２側面側に、前記第２ピンの他方側先端部が係合されて、前記第２ピンの他方側先端部の通過を阻止する幅狭部が形成されることを特徴とする付記７に記載の携帯端末装置。
【符号の説明】
【００８３】
１，７０  携帯端末装置
２，７１  筐体
３，７４  ベルト
４  第１スライド部材
５  第２スライド部材
６  第１ピン
７  第２ピン
８  第１主面
９  第２主面
１０  第１側面
１１  第２側面
１２  第３側面
１３  第４側面
２０  タッチパネル
２１  第１ガイド溝
２２  第１ピンの一方側端部
２３  第１ピンの他方側端部
２４  第２ガイド溝
２５  第２ピンの一方側端部
２６  第２ピンの他方側端部
２７  ベルトの一端
２８  ベルトの他端
３０  第１ピンの一方側先端部
３１  第１ピンの一方側基部
３２  第１ピンの他方側先端部
３３  第１ピンの他方側基部
３４  第１ガイド溝の幅広部
３５  第１ガイド溝の幅狭部
４０  第１板状部
４１  第１リブ
４２  第２リブ
４３  第１梁部
４４  第１孔
４５  第１孔の幅狭部
４６  第１孔の幅広部
４７  第２ピンの一方側先端部
４８  第２ピンの一方側基部
４９  第２ピンの他方側先端部
５０  第２ピンの他方側基部
５１  第２ガイド溝の幅広部
５２  第２ガイド溝の幅狭部
５４  第２板状部
５５  第３リブ
５６  第４リブ
５７  第２梁部
５８  第２孔
５９  第２孔の幅狭部
６０  第２孔の幅広部
７２  第３スライド部材
７３  第４スライド部材
７５  第３ガイド溝
７６  第４ガイド溝
７７  第５ガイド溝
７８  第６ガイド溝
７９  本体部
８０  第１脚部
８１  第２脚部
８２  第１係合部
８３  第２係合部
８４  第１係合部の先端部
８５  第１係合部の基部
８６  第３ガイド溝の幅広部
８７  第３ガイド溝の幅狭部
８８  第２係合部の先端部
８９  第２係合部の基部
９０  第５ガイド溝の幅広部
９１  第５ガイド溝の幅狭部
９２  突出部
９３  突出部の先端部
９４  突出部の基部
９５  第３孔
ｈ１  第１辺
ｈ２  第２辺
ｈ３  第３辺
ｈ４  第４辺
Ｋ１  第１辺の第１位置
Ｋ２  第２辺の第２位置
Ｌ  第１位置から第２位置までの長さ
【図１】
2012248580.tif 000003
【図２】
2012248580.tif 000004
【図３】
2012248580.tif 000005
【図４】
2012248580.tif 000006
【図５】
2012248580.tif 000007
【図６】
2012248580.tif 000008
【図７】
2012248580.tif 000009
【図８】
2012248580.tif 000010
【図９】
2012248580.tif 000011
【図１０】
2012248580.tif 000012
【図１１】
2012248580.tif 000013